(57)【要約】【課題】レンズ鏡筒の構造の簡素化を図る。【解決手段】レンズ鏡筒は、基準部材と、前記基準部材に固定された所定軸方向に延びる筒状部材と、前記筒状部材に挿入され、前記所定軸方向にスライドする軸部材と、前記軸部材の一端を支持し、前記軸部材の前記筒状部材に対するスライドにより前記所定軸方向にガイドされる、光学部材を保持する保持部材と、を備え、前記軸部材は、前記筒状部材の前記保持部材側で、前記保持部材がスライドする場合にも前記筒状部材と嵌合し続ける第１嵌合部と、前記第１嵌合部から離れた位置で前記第１筒状部材と嵌合する第２嵌合部と、前記第１嵌合部と前記第２嵌合部との間に配置され、前記第１嵌合部及び前記第２嵌合部の外径よりも小さい外径を有する中間部と、を有する。【選択図】図２
2013178401.tif 000002
【特許請求の範囲】
【請求項１】
基準部材と、
前記基準部材に固定された所定軸方向に延びる筒状部材と、
前記筒状部材に挿入され、前記所定軸方向にスライドする軸部材と、
前記軸部材の一端を支持し、前記軸部材の前記筒状部材に対するスライドにより前記所定軸方向にガイドされる、光学部材を保持する保持部材と、
を備え、
前記軸部材は、
前記筒状部材の前記保持部材側で、前記保持部材がスライドする場合にも前記筒状部材と嵌合し続ける第１嵌合部と、
前記第１嵌合部から離れた位置で前記第１筒状部材と嵌合する第２嵌合部と、
前記第１嵌合部と前記第２嵌合部との間に配置され、前記第１嵌合部及び前記第２嵌合部の外径よりも小さい外径を有する中間部と、
を有することを特徴とするレンズ鏡筒。
【請求項２】
前記所定軸方向に延び、前記保持部材及び前記基準部材のそれぞれに接触または固定され、前記保持部材の前記基準部材に対する前記所定軸回り方向の移動動作を規制する規制部材を更に備え、
前記規制部材は、前記保持部材がスライドする場合にも、前記保持部材及び前記基準部材の少なくとも一方と接触し続けることが可能な長さを有することを特徴とする請求項１に記載のレンズ鏡筒。
【請求項３】
前記基準部材は、前記所定軸方向に延びる延伸部材を有し、
前記筒状部材及び前記延伸部材のいずれか一方は、第２光学部材を保持する第２保持部材が前記所定軸方向に移動する際のガイドとして用いられ、前記筒状部材及び前記延伸部材のいずれか他方は、前記第２保持部材と接触することで、前記第２保持部材の前記所定軸周りの方向の移動動作を規制することを特徴とする請求項２に記載のレンズ鏡筒。
【請求項４】
前記延伸部材は、筒形状を有し、
前記規制部材は、軸状であり、前記第１保持部材に固定され、前記延伸部材の内部に挿入され、
前記規制部材の外径は、前記延伸部材の内径よりも小さいことを特徴とする請求項３に記載のレンズ鏡筒。
【請求項５】
前記第１嵌合部及び前記第２嵌合部は、前記軸部材の両端に設けられていることを特徴とする請求項１〜４のいずれか一項に記載のレンズ鏡筒。
【請求項６】
前記筒状部材と前記延伸部材は、前記レンズ鏡筒の光軸を基準として１８０度対向する位置に配置されていることを特徴とする請求項１〜５のいずれか一項に記載のレンズ鏡筒。
【請求項７】
請求項１〜６のいずれか一項に記載のレンズ鏡筒と、
前記レンズ鏡筒により結ばれた画像を撮像する撮像部と、を備える撮像装置。
【発明の詳細な説明】
【技術分野】
【０００１】
本発明は、レンズ鏡筒及び撮像装置に関し、特に複数のレンズを保持するレンズ鏡筒及び当該レンズ鏡筒を具備する撮像装置に関する。
【背景技術】
【０００２】
従来、カメラのレンズ鏡筒は、撮像部に装着された状態で、撮像部に対して固定される固定筒と、その固定筒に対して回転するカム筒と、そのカム筒の回転により光軸方向に移動する複数のレンズ群を備えている（例えば、特許文献１参照）。
【先行技術文献】
【特許文献】
【０００３】
【特許文献１】特開２０００−８９０８６号公報
【発明の概要】
【発明が解決しようとする課題】
【０００４】
このようなレンズ鏡筒は、光学性能を確保するために、設計上において種々の制約がある。当該制約下で光学性能を確保するためには、レンズ鏡筒内の構造は、簡素化されているほうがよい。
【０００５】
そこで本発明は上記の課題に鑑みてなされたものであり、構造の簡素化が図られたレンズ鏡筒及び撮像装置を提供することを目的とする。
【課題を解決するための手段】
【０００６】
本発明のレンズ鏡筒は、基準部材（１０）と、前記基準部材に固定された所定軸方向に延びる筒状部材（３６Ａ）と、前記筒状部材に挿入され、前記所定軸方向にスライドする軸部材（３０Ａ）と、前記軸部材の一端を支持し、前記軸部材の前記筒状部材に対するスライドにより前記所定軸方向にガイドされる、光学部材（Ｌ２）を保持する保持部材（１２）と、を備え、前記軸部材は、前記筒状部材の前記保持部材側で、前記保持部材がスライドする場合にも前記筒状部材と嵌合し続ける第１嵌合部（３０Ａ１）と、前記第１嵌合部から離れた位置で前記筒状部材と嵌合する第２嵌合部（３０Ａ２）と、前記第１嵌合部と前記第２嵌合部との間に配置され、前記第１嵌合部及び前記第２嵌合部の外径よりも小さい外径を有する中間部（３０Ａ３）と、を有するレンズ鏡筒である。
【０００７】
この場合において、前記所定軸方向に延び、前記保持部材及び前記基準部材のそれぞれに接触または固定され、前記保持部材の前記基準部材に対する前記所定軸回り方向の移動動作を規制する規制部材（３０Ｂ）を更に備え、前記規制部材は、前記保持部材がスライドする場合にも、前記保持部材及び前記基準部材の少なくとも一方と接触し続けることが可能な長さを有することとすることができる。
【０００８】
この場合において、前記基準部材は、前記所定軸方向に延びる延伸部材（３６Ｂ）を有し、前記筒状部材及び前記延伸部材のいずれか一方は、第２光学部材（Ｌ３〜Ｌ５）を保持する第２保持部材（１３，１４）が前記所定軸方向に移動する際のガイドとして用いられ、前記筒状部材及び前記延伸部材のいずれか他方は、前記第２保持部材と接触することで、前記第２保持部材の前記所定軸周りの方向の移動動作を規制することとしてもよい。
【０００９】
この場合において、前記延伸部材は、筒形状を有し、前記規制部材は、軸状であり、前記保持部材に固定され、前記延伸部材の内部に挿入され、前記規制部材の外径は、前記延伸部材の内径よりも小さいこととすることができる。
【００１０】
また、本発明のレンズ鏡筒では、前記第１嵌合部及び前記第２嵌合部は、前記軸部材の両端に設けることとしてもよい。
【００１１】
また、本発明のレンズ鏡筒では、前記筒状部材と前記延伸部材は、前記レンズ鏡筒の光軸を基準として１８０度対向する位置に配置することができる。
【００１２】
本発明の撮像装置は、上記レンズ鏡筒（１００）と、前記レンズ鏡筒により結ばれた画像を撮像する撮像部（２００）と、を備える撮像装置である。
【発明の効果】
【００１３】
本発明のレンズ鏡筒及び撮像装置は、構造を簡素化できるという効果を奏する。
【図面の簡単な説明】
【００１４】
【図１】一実施形態に係るカメラの構成を概略的に示す図である。
【図２】レンズ鏡筒が広角端にある状態を示す断面図である。
【図３】レンズ鏡筒が望遠端までズームされた状態を示す断面図である。
【図４】２群レンズ摺動筒の近傍を取り出して示す図である。
【図５】図４のＡ−Ａ線断面図である。
【図６】図４から２群レンズ摺動筒が前側（望遠端）に移動した状態を示す図である。
【図７】３，５群レンズ摺動筒、４群レンズ摺動筒及びその近傍を取り出して示す図である。
【図８】図８（ａ）は、変形例１を説明するための図であり、図８（ｂ）は、図８（ａ）のＢ−Ｂ線断面図である。
【図９】図９（ａ）は、変形例２を説明するための図であり、図９（ｂ）は、図９（ａ）のＣ−Ｃ線断面図である。
【図１０】図１０（ａ）は、変形例３を説明するための図であり、図１０（ｂ）は、変形例４を説明するための図である。
【発明を実施するための形態】
【００１５】
以下、一実施形態に係るカメラ及び当該カメラが具備するレンズ鏡筒について、図１〜図７に基づいて詳細に説明する。
【００１６】
図１には、一実施形態に係るカメラ５００が模式的に示されている。この図１に示すようにカメラ５００は、撮像部２００と、レンズ鏡筒１００と、を備える。
【００１７】
撮像部２００は、筐体２１０と、この筐体２１０内に収容された主鏡２１２、ペンタプリズム２１４、接眼光学系２１６を含む光学系と、焦点検出装置２３０と、シャッタ２３４と、撮像素子２３８と、メインＬＣＤ２４０と、主制御部２５０と、を有する。
【００１８】
主鏡２１２は、図１の状態では、レンズ鏡筒１００から入射した入射光の大半を上方に配置されたフォーカシングスクリーン２２２に導く。フォーカシングスクリーン２２２は、レンズ鏡筒１００内の光学系の合焦位置に配置され、レンズ鏡筒１００内の光学系により形成された画像を結像させる。
【００１９】
ペンタプリズム２１４は、フォーカシングスクリーン２２２に結像された画像を、反射した後、ハーフミラー２２４を介して、接眼光学系２１６まで導く。これにより、接眼光学系２１６では、フォーカシングスクリーン２２２上の映像を正像として観察することができる。この場合、ハーフミラー２２４は、ファインダＬＣＤ２２６に形成された撮影条件や設定条件等を示す表示画像をフォーカシングスクリーン２２２の映像に重畳させる。したがって、接眼光学系２１６の出射端においては、フォーカシングスクリーン２２２の映像とファインダＬＣＤ２２６の画像とが重ね合わせられた状態を観察することができる。なお、ペンタプリズム２１４の出射光の一部は、測光部２２８に導かれ、当該測光部２２８にて、入射光の強度及びその分布等が測定される。
【００２０】
焦点検出装置２３０は、主鏡２１２を透過し、かつ主鏡２１２の裏面側に設けられた副鏡２３２にて反射された光を用いて、レンズ鏡筒１００内の光学系の焦点調整状態（ピント状態）を検出する。なお、主鏡２１２及び副鏡２３２は、撮影の際には、レンズ鏡筒１００から入射する入射光の光路から退避するように、図１に破線にて示す位置まで上昇する。
【００２１】
シャッタ２３４は、主鏡２１２後方（レンズ鏡筒１００から入射する入射光の光路後方）に配置され、撮影の際には、主鏡２１２及び副鏡２３２の上昇動作と連動して、開放動作を行う。シャッタ２３４が開放された状態では、光学フィルタ２３６を介して撮像素子２３８にレンズ鏡筒１００からの入射光が入射する。撮像素子２３８は、入射光が形成する画像を電気信号に変換する。
【００２２】
メインＬＣＤ２４０は、その表示画面部分が筐体２１０の外部に露出した状態となっている。このメインＬＣＤ２４０の表示画面上には、撮像素子２３８上に形成された映像（撮影された映像）のほか、撮像部２００における各種設定情報などが表示される。
【００２３】
主制御部２５０は、上記各部の種々動作を統括的に制御する。また、主制御部２５０は、撮像部２００内の焦点検出装置２３０が検出した光学系の焦点調整状態の情報を参照して、レンズ鏡筒１００内の光学系（レンズＬ１〜Ｌ５）を駆動したり（オートフォーカス）、レンズ鏡筒１００内の光学系の動作量を参照して、合焦していることをファインダＬＣＤ２２６に表示したりする（フォーカスエイド）。
【００２４】
次に、レンズ鏡筒１００の構成について、図２〜図７に基づいて詳細に説明する。
【００２５】
図２、図３には、レンズ鏡筒１００の断面図が示されている。これらのうち、図２は、レンズ鏡筒１００が広角端にある状態を示し、図３は、レンズ鏡筒１００が、望遠端までズームされた状態を示す。これらの図に示すように、レンズ鏡筒１００は、共通の光軸ＡＸ上に配列された１群レンズＬ１、２群レンズＬ２、３群レンズＬ３、４群レンズＬ４、５群レンズＬ５を有する。なお、以下においては、光軸ＡＸ方向の１群レンズＬ１側を前側、５群レンズＬ５側を後側として説明する。
【００２６】
レンズ鏡筒１００は、図２、図３に示すように、固定筒１０と、１群レンズＬ１を保持する１群レンズ摺動筒１１と、２群レンズＬ２を保持する２群レンズ摺動筒１２と、３群レンズＬ３及び５群レンズＬ５を保持する３，５群レンズ摺動筒１３と、４群レンズＬ４を保持する４群レンズ摺動筒１４と、を備える。
【００２７】
固定筒１０は、基部１０ａにおいて、撮像部２００に固定される。この固定状態では、固定筒１０の撮像部２００側の端面１０ｂが撮像部２００（図１の筐体２１０）に密接することにより、固定筒１０、すなわちレンズ鏡筒１００が撮像部２００に対して位置決めされる。固定筒１０は、その内周面の上側部分（天井部分）近傍に設けられた一対の突起部３３ａ，３３ｂにおいて、ガイドパイプ３６Ａを支持し、その内周面の下側部分近傍に設けられた一対の突起部３３ｃ，３３ｄにおいて、ガイドパイプ３６Ｂを支持する。これらガイドパイプ３６Ａ及び３６Ｂは、レンズ鏡筒１００の光軸（ＡＸ）を基準として１８０度対向する位置（光軸からの距離が略同一で、光軸を挟んで相対向する位置）に配置されている。
【００２８】
１群レンズ摺動筒１１は、当該１群レンズ摺動筒１１の内側に設けられたズーム駆動筒１６と連動可能に連結されている。具体的には、１群レンズ摺動筒１１に植設されたカムピン１５が、ズーム駆動筒１６に形成されたカム溝１６ａに係合した状態となっている。
【００２９】
一方、ズーム駆動筒１６は、レンズ鏡筒１００の最外周において光軸ＡＸ回りの回転が自在とされたズーム操作環１８と連動可能に連結されている。具体的には、ズーム駆動筒１６から外側に突設された駆動力伝達ピン１９が、ズーム操作環１８の内面に形成された光軸ＡＸに平行な操作溝１８ａに係合している。これにより、ズーム駆動筒１６は、ズーム操作環１８の回転に連動して回転する。ズーム操作環１８は、前後方向への移動ができないようになっており、その外周面には滑り止めのゴム層が設けられている。ズーム操作環１８は、変倍動作（ズーミング）の際に、ユーザによって回転されるものである。
【００３０】
また、ズーム駆動筒１６は、その内側に設けられたズーム用案内筒２２に対して回転可能とされている。ズーム用案内筒２２には、図２、図３の下半部に示すように、逃げ溝２２ａが貫通形成され、このズーム用案内筒２２と、ズーム駆動筒１６に貫通形成された直進溝１６ｂとには、固定筒１０の内側に設けられたカムリング２０に固定された回転連結部材２１が係合している。カムリング２０には、固定筒１０の内側に突設されたカムピン１０ｄと係合するカム溝２０ｅが形成されている。
【００３１】
上記構造によると、ズーム操作環１８が回転されると、駆動力伝達ピン１９の作用によりズーム駆動筒１６が回転し、その回転とカムピン１５の作用により、１群レンズ摺動筒１１が前後方向（光軸ＡＸに沿った方向）に移動する。また、ズーム操作環１８の回転により、ズーム駆動筒１６が回転すると、この回転力が回転連結部材２１を介してカムリング２０に伝達するため、カムリング２０は回転しながら前後方向に移動する。なお、ズーム用案内筒２２は、回転せずにズーム駆動筒１６とともに前後方向に移動する。
【００３２】
なお、ズーム操作環１８と１群レンズ摺動筒１１との間には、カバー筒１７が設けられている。このカバー筒１７は、図２、図３に示すように、１群レンズ摺動筒１１に連れ従って前後方向に移動して、ズーム操作環１８と１群レンズ摺動筒１１との間を封止し、レンズ鏡筒１００内への塵埃の浸入を防止する。
【００３３】
図４は、２群レンズ摺動筒の近傍を取り出して示す図である。図４に示すように、２群レンズ摺動筒１２は、２群レンズＬ２を保持する保持筒２４と、保持筒２４に固定された押さえ環２６と、保持筒２４の外周を取り囲む状態で設けられた係合筒２８と、を有する。保持筒２４と押さえ環２６とは、ネジ止め等により固定され、２群レンズＬ２の外縁部を挟持する。
【００３４】
係合筒２８は、２本のガイドバー３０Ａ，３０Ｂを片持ち支持する。これら２本のガイドバー３０Ａ及び３０Ｂは、光軸ＡＸを挟んで上下対称な位置（１８０°対向する位置）に配置されている。
【００３５】
ガイドバー３０Ａは、図４に示すように、固定筒１０に支持されたガイドパイプ３６Ａにスライド可能に挿入される。ガイドバー３０Ａは、第１嵌合部３０Ａ１、第２嵌合部３０Ａ２、及び中間部３０Ａ３を有する。本実施形態では、第１嵌合部３０Ａ１は、ガイドバー３０Ａの前側の端部に配置され、第２嵌合部３０Ａ２は、ガイドバー３０Ａの後側の端部に配置されている。
【００３６】
第１嵌合部３０Ａ１の前側の端部は、係合筒２８に固定されている。第１嵌合部３０Ａ１は、ガイドパイプ３６Ａの２群レンズ摺動筒１２側でガイドパイプ３６Ａと嵌合する。すなわち、ガイドパイプ３６Ａの内径と第１嵌合部３０Ａ１の外径は、ほぼ同一に設定されている。第１嵌合部３０Ａは、レンズ鏡筒１００が望遠端までズームされ、２群レンズ摺動筒１２が図３のようにスライドした場合にも、ガイドパイプ３６Ａと嵌合し続けるようになっている。
【００３７】
第２嵌合部３０Ａ２は、ガイドバー３０Ａの後端において、ガイドパイプ３６Ａと嵌合する。すなわち、第２嵌合部３０Ａ２の外径は第１嵌合部３０Ａ１の外径とほぼ同一であって、第２嵌合部３０Ａ２の外径とガイドパイプ３６Ａの内径とは、ほぼ同一に設定されている。
【００３８】
中間部３０Ａ３は、第１嵌合部３０Ａ１と第２嵌合部３０Ａ２との間に位置し、その外径は、第１嵌合部３０Ａ１及び第２嵌合部３０Ａ２の外径よりも小さく設定されている。すなわち、中間部３０Ａ３と、ガイドパイプ３６Ａとは、非接触となっている。
【００３９】
ガイドバー３０Ｂは、その外径がガイドパイプ３６Ｂの内径よりも小さく設定された円柱形状を有し、その一端が係合筒２８に固定され、その他端が突起部３３ｃに形成されたＵ字溝４３を介して、ガイドパイプ３６Ｂに挿入されている。
【００４０】
図５には、図４のＡ−Ａ線断面図が示されている。また、図６には、図４の状態から２群レンズ摺動筒１２が前方向に移動した状態が示されている。図５に示すように、Ｕ字溝４３の幅は、ガイドバー３０Ｂの直径と略同一、すなわち、２群レンズ摺動筒１２のスライドに支障が無い程度の隙間が形成される寸法に設定されている。また、ガイドバー３０Ｂの長さは、図４に示すように、ガイドバー３０Ａの長さよりも短く、かつ、図６に示すように２群レンズ摺動筒１２がスライドした場合にも、Ｕ字溝４３と接触し続けることが可能な程度の長さに設定されている。ガイドバー３０ＢとＵ字溝４３とが接触することにより、２群レンズ摺動筒１２のガイドパイプ３６Ａを中心とした回転方向の動きが抑制される。なお、Ｕ字溝４３に代えて、径方向に長い長円孔を形成しても良い。
【００４１】
ガイドバー３０Ａ，３０Ｂの材料としては、強度が高く、軽量な材料、例えばステンレスなどを採用することができる。ガイドバー３０Ａ，３０Ｂは、係合筒２８に対して、接着又は圧入などの処理を経て固定されている。また、ガイドパイプ３６Ａ，３６Ｂの材料としては、ガイドバー３０Ａ，３０Ｂと同様、ステンレスなどを採用することができる。なお、ガイドバー３０Ａのガイドパイプ３６Ａに対するスライドをスムーズにするため、第１嵌合部３０Ａ１及び第２嵌合部３０Ａ２に、潤滑性を有する外装（例えばテフロン（登録商標）含有複合めっきなど）を施すこととしてもよい。また、第１嵌合部３０Ａ１や第２嵌合部３０Ａ２の材料として低摩擦係数の材料（ポリアセタール樹脂など）を用いることとしてもよい。このようにすることで、ズーミングやフォーカシングの動作がスムーズになるとともに、ガイドバー３０Ａや軸受部４３の耐久性を向上することができる。また、ガイドバー３０Ｂ及び／又はＵ字溝４３が形成された突起部３３ｃに、上記外装を施したり、上記材料を用いることとしても良い。
【００４２】
係合筒２８の外周面の一部には、突起状のフォロワ２８ａが形成されている。このフォロワ２８ａは、係合筒２８の外側に設けられた連動リング３２の周溝３２ｃと係合している。なお、フォロワ２８ａは、ガイドバー３０Ａの近傍、すなわち、ガイドバー３０Ａの中心軸を延長した延長軸の近傍に配置されている。
【００４３】
この周溝３２ｃが形成されている連動リング３２には、更に、連動溝３２ａと、カムフォロワ３２ｂとが形成されている。連動溝３２ａには、略Ｌ字状の形状を有する連動キー３４の一端部が係合している。この連動キー３４は、図２、図３に示す、固定筒１０の外周部に設けられたピントリング３７に接続されており、ピントリング３７の光軸ＡＸ回りの回転に伴って、光軸ＡＸを中心とした回転方向に移動する。このように、連動キー３４が光軸ＡＸを中心とした回転方向に移動すると、連動リング３２が光軸ＡＸ回りに回転する。また、連動キー３４は、固定筒１０のモータ室１０ｃ内に設けられたモータ３８にも接続されている。したがって、連動リング３２は、モータ３８の回転動作に伴う連動キー３４の光軸ＡＸを中心とした回転方向への移動によっても、光軸ＡＸ回りに回転する。
【００４４】
カムフォロワ３２ｂは、カムリング２０に形成されたカム溝２０ｂに係合している。したがって、連動リング３２が回転した場合には、連動リング３２及びこれに連結している部材（２群レンズ摺動筒１２、ガイドバー３０Ａ，３０Ｂ、２群レンズＬ２）が、カム溝２０ｂとカムフォロワ３２ｂの作用により、前後方向に移動するようになっている。この前後方向の移動において、連動リング３２は、光軸ＡＸ回りに回転しながら前後方向に移動するが、ガイドバー３０Ａ，３０Ｂの移動方向は、ガイドパイプ３６Ａ及びＵ字溝４３により前後方向にのみ規制されているので、ガイドバー３０Ａ，３０Ｂに接続されている２群レンズ摺動筒１２及び２群レンズＬ２は、回転することなく前後方向に移動する。なお、カムフォロワ３２ｂは、ガイドバー３０Ａの近傍、すなわち、ガイドバー３０Ａの中心軸を延長した延長軸の近傍に配置されている。
【００４５】
図７は、３，５群レンズ摺動筒１３、４群レンズ摺動筒１４及びその近傍を取り出して示す図である。この図７に示すように、３，５群レンズ摺動筒１３は、３群レンズＬ３と５群レンズＬ５とを光軸ＡＸ方向に所定間隔あけた状態で保持する。
【００４６】
３，５群レンズ摺動筒１３は、ガイドパイプ３６Ａに係合する２つの係合部１３ａ，１３ｂと、ガイドパイプ３６Ｂに係合する１つの係合部１３ｃを有している。また、４群レンズ摺動筒１４は、ガイドパイプ３６Ａに係合する２つの係合部１４ａ，１４ｂと、ガイドパイプ３６Ｂに係合する係合部１４ｃとが設けられている。
【００４７】
係合部１３ｂ、１３ａ、１４ａ及び１４ｂは、円形の貫通孔を有している。この貫通孔は、ガイドパイプ３６Ａとほぼ同径であり、３，５群レンズ摺動筒１３及び４群レンズ摺動筒１４は、貫通孔にガイドパイプ３６Ａが挿入された状態で、ガイドパイプ３６Ａにより前後方向にガイドされる。ここで、ほぼ同径とは、３，５群レンズ摺動筒１３のスライドに支障が無い程度の隙間が、ガイドパイプ３６Ａと貫通孔の間に形成される寸法を意味する。ガイドパイプ３６Ａは、３，５群レンズ摺動筒１３及び４群レンズ摺動筒１４の自重を指示する。一方、係合部１３ｃ及び１４ｃは、Ｕ字溝を有する。Ｕ字溝の幅は、ガイドパイプ３６Ｂの直径と略同一、すなわち、３，５群レンズ摺動筒１３及び４群レンズ摺動筒１４のスライドに支障が無い程度の隙間が形成される寸法に設定されている。３，５群レンズ摺動筒１３及び４群レンズ摺動筒１４では、ガイドパイプ３６ＢにＵ字溝が係合することにより、ガイドパイプ３６Ａを中心とした回転方向の動きが抑制されている。なお、係合部１３ｃ及び１４ｃには、Ｕ字溝に代えて、径方向に長い長円孔を形成しても良い。
【００４８】
次に、図２、図３等に基づいて、ズーム動作を行うとき（ズーミング）の各レンズＬ２〜Ｌ５の移動動作、及びピントを合わせるとき（フォーカシング）の各レンズＬ２〜Ｌ５の移動動作について説明する。
【００４９】
まず、ズーミングのときの各レンズの移動動作について説明する。ここでは、レンズ鏡筒１００が広角端にある状態（図２）から、望遠端にズームされるまで（図３）の動作について説明する。
【００５０】
図２の状態から、ユーザによりズーム操作環１８（図２等参照）が回転されると、前述したように回転連結部材２１等を介してカムリング２０が回転される。この回転に伴い、連動リング３２にもカムフォロワ３２ｂを介して、回転力と前方向の移動力とが作用するが、連動リング３２は、連動溝３２ａと係合する連動キー３４（固定状態）により、前後方向にのみガイドされているので、回転することなく前側に直進する。また、この連動リング３２の直進に伴って、連動リング３２に係合する係合筒２８（すなわち２群レンズ摺動筒１２）、及び２群レンズＬ２が前方向に移動する。この２群レンズ摺動筒１２が前方向へ移動する間、ガイドバー３０Ｂは、突起部３３ｃ（Ｕ字溝４３）に接触した状態を維持し続け、ガイドバー３０Ａは、ガイドパイプ３６Ａに対する挿入状態を維持し続ける(図４、図６参照)。
【００５１】
更に、カムリング２０の回転は、カムフォロワ３５，４５を介して係合している３，５群レンズ摺動筒１３及び４群レンズ摺動筒１４（３〜５群レンズＬ３〜Ｌ５）も前方向に移動させる。なお、レンズＬ３，Ｌ５とレンズＬ４の移動距離は、カムフォロワ３５及びカムフォロワ４５が係合するカム溝２０ｃ，２０ｄの形成方向（角度）によって異なる。なお、カムリング２０自体も前方向に移動するため、各レンズＬ３〜Ｌ５の実際の移動距離は、カムリング２０の移動距離と、カム溝２０ｃ，２０ｄによるカムフォロワ３５，４５の移動距離との合計距離となる。
【００５２】
このように、ズーミングのときには、ズーム操作環１８の回転動作に伴って、２〜５群レンズＬ２〜Ｌ５（及び説明、図示を省略している１群レンズＬ１）のそれぞれが前方向に、別々の距離（ただし、レンズＬ３とＬ５は同一距離）だけ移動するようになっている。
【００５３】
次に、フォーカシングのときの各レンズの移動動作について説明する。
【００５４】
まず、ピントリング３７がユーザにより回転されるか、あるいはモータ３８が回転駆動されることにより、連動キー３４が光軸ＡＸを中心とする回転方向に移動すると、前述したように、連動キー３４に係合する連動リング３２が光軸ＡＸ回りに回転する。この回転により、連動リング３２は、カムフォロワ３２ｂをカムリング２０のカム溝２０ｂに沿わせて、前方向にも移動する。そして、この連動リング３２の回転方向及び前方向の移動により、連動リング３２の周溝３２ｃに係合したフォロワ２８ａを有する係合筒２８（すなわち２群レンズ摺動筒１２）及び２群レンズＬ２も前方向に移動することになる。ここで、カムフォロワ３２ｂ及びフォロワ２８ａは、ガイドバー３０Ａの近傍に配置されているので、連動リング３２及び係合筒２８に対して光軸ＡＸ方向の駆動力を効率的に作用させることができる。
【００５５】
一方、カムリング２０は、無回転の固定状態にあるため、３群〜５群レンズＬ３〜Ｌ５は前（後）方向に移動しない。また、説明及び図示を省略している１群レンズＬ１も前（後）方向に移動することはない。
【００５６】
このように、フォーカシングのときには、連動キー３４の回転動作に伴って、２群レンズＬ２のみが前（後）方向に移動するようになっている。この場合、２群レンズ摺動筒１２に固定されたガイドバー３０Ａ，３０Ｂには、３，５群レンズ摺動筒１３や４群レンズ摺動筒１４は直接接触していないので、２群レンズ摺動筒１２の前（後）方向への移動が、３，５群レンズ摺動筒１３や４群レンズ摺動筒１４により邪魔されることはない。
【００５７】
なお、フォーカシング時のモータ３８の回転は、図１の主制御部２５０が、焦点検出装置２３０の検出結果に基づいて制御する。すなわち、主制御部２５０によるモータ３８の回転制御により、オートフォーカスが実行される。なお、レンズ鏡筒１００と、撮像部２００との間は、レンズ鏡筒１００と撮像部２００との間に設けられる接続端子により電気的に接続されており、これにより、レンズ鏡筒１００（例えばモータ３８など）に、撮像部２００側から電力が供給されるようになっている。
【００５８】
以上説明したように、本実施形態によると、２群レンズ摺動筒１２は、ガイドバー３０Ａのガイドパイプ３６Ａの内周面に沿ったスライド動作により光軸ＡＸ方向にスライドし、３，５群レンズ摺動筒１３及び４群レンズ摺動筒１４は、ガイドパイプ３６Ｂの外周面に沿って光軸ＡＸ方向にスライドすることから、各レンズ摺動筒１２，１３，１４を、同一部材に沿って移動させることができる。これにより、レンズ鏡筒１００内の構造の簡素化を図ることが可能である。また、本実施形態によると、ガイドバー３０Ａは、ガイドパイプ３６Ａと嵌合する第１嵌合部３０Ａ１及び第２嵌合部３０Ａ２と、第１嵌合部３０Ａ１と第２嵌合部３０Ａ２との間に位置する中間部３０Ａ３とを有し、中間部３０Ａ３の外径は、第１嵌合部３０Ａ１及び第２嵌合部３０Ａ２の外径よりも小さく形成されている。すなわち、本実施形態では、ガイドバー３０Ａとガイドパイプ３６Ａとを第１嵌合部３０Ａ１及び第２嵌合部３０Ａ２において嵌合させ、中間部３０Ａ３においてガイドパイプ３６Ａとは嵌合させないようにしている。これにより、中間部３０Ａ３の真直度が悪くても、ガイドバー３０Ａのスライド動作への影響を低減することができる。したがって、中間部３０Ａ３において必要な精度（真直度）を低減することができるので、ガイドバー３０Ａの加工が容易となり、加工コストを低減することができる。
【００５９】
また、本実施形態によると、光軸ＡＸ方向に延びるガイドバー３０Ｂが、２群レンズ摺動筒１２に固定されるとともに、固定筒１０に接触することで、２群レンズ摺動筒１２の固定筒１０に対する光軸ＡＸ回り方向の移動動作（回転動作）を規制している。そして、ガイドバー３０Ｂは、その長さが、２群レンズ摺動筒１２がスライドする場合にＵ字溝４３と接触し続けられる程度の長さとなっている。すなわち、ガイドバー３０Ｂをガイドバー３０Ａよりも短くすることができるので、ガイドバー３０Ｂをガイドバー３０Ａと同一の長さとする場合と比べて、レンズ鏡筒１００の軽量化を図ることが可能となる。さらに、ガイドバー３０Ｂの加工コストや、材料費の低減が可能となる。
【００６０】
また、本実施形態では、固定筒１０が光軸ＡＸ方向に延びるガイドパイプ３６Ｂを支持しており、３，５群レンズ摺動筒１３及び４群レンズ摺動筒１４は、ガイドパイプ３６Ａにより光軸方向にガイドされるとともに、ガイドパイプ３６Ｂに接触することで光軸ＡＸ回り方向の移動動作（回転動作）が規制されている。これにより、３，５群レンズ摺動筒１３及び４群レンズ摺動筒１４は、ガイドバー３０Ａ及び３０Ｂとは非接触な状態で前後方向にガイドされる。したがって、２群レンズ摺動筒１２の移動を、３，５群レンズ摺動筒１３及び４群レンズ摺動筒１４が妨げることがない。これにより、２群レンズ摺動筒１２を移動させるのに必要な力を低減することができるので、モータ３８の負担またはピントリング３７を回転させるユーザの負担を軽減することができる。
【００６１】
また、本実施形態では、ガイドバー３０Ｂは、ガイドパイプ３６Ｂに挿入され、かつ、ガイドバー３０Ｂの外径が、ガイドパイプ３６Ｂの内径よりも小さく設定されているため、ガイドパイプ３６Ｂとガイドバー３０Ｂとの機械的な干渉を回避することができるとともに、２群レンズ摺動筒１２のスライド動作を妨げないようにすることが可能となる。さらに、ガイドパイプ３６Ｂとガイドバー３０Ｂとを別々に設ける場合と比較して、レンズ鏡筒１００内の構造の簡素化及びスペース効率の向上を図ることができる。
【００６２】
また、本実施形態では、第１嵌合部３０Ａ１及び第２嵌合部３０Ａ２は、ガイドバー３０Ａの両端に設けられている。これにより、第１嵌合部３０Ａ１と第２嵌合部３０Ａ２との間の距離を長くとることができるため、第１嵌合部３０Ａ１及び第２嵌合部３０Ａ２の外径とガイドパイプ３６Ａの内径との嵌合がたに起因するガイドパイプ３６Ａに対するガイドバー３０Ａの傾きを低減することが可能となる。これにより、２群レンズ摺動筒１２の光軸ＡＸに対する倒れが低減するので、光学性能の劣化防止が可能となる。
【００６３】
また、本実施形態では、ガイドパイプ３６Ａ、３６Ｂが、レンズ鏡筒１００の光軸ＡＸを基準として１８０度対向する位置に配置されているので、ガイドバー３０Ａ，３０Ｂの距離を極力大きくとることができる。これにより、２群レンズ摺動筒１２の光軸ＡＸ方向周りの回転をガイドバー３０Ｂで規制する際に必要な力を小さくすることができ、ひいては、ガイドバー３０Ｂにかかる力及び変形等を小さくすることができる。
【００６４】
なお、上記実施形態では、第２嵌合部３０Ａ２は、ガイドバー３０Ａの後側の端部に配置されていた。しかしながら、第２嵌合部３０Ａ２が配置される位置は、ガイドバー３０Ａの後端に限られるものではなく、２群レンズ摺動筒１２のスライド動作を妨げない位置であればよい。
【００６５】
なお、第１嵌合部３０Ａ１、第２嵌合部３０Ａ２及び中間部３０Ａ３は、同一部材を加工（切削等）することにより形成しても良いし、各部を異なる部材で形成し接着等することでガイドバー３０Ａを製造することとしても良い。
【００６６】
なお、上記実施形態では、２群レンズ摺動筒１２に固定されたガイドバー３０Ｂが、固定筒１０の突起部３３ｃに形成されたＵ字溝４３に接触することで、２群レンズ摺動筒１２の回転動作が規制される場合について説明した。しかしながら、これに限られるものではなく、図８〜図１０のような構成（変形例１〜４）を採用することで、２群レンズ摺動筒１２の回転動作を規制することとしてもよい。
【００６７】
図８（ａ）、図８（ｂ）には、変形例１に係る構成が示されている。なお、図８（ｂ）は、図８（ａ）のＢ−Ｂ線断面図である。変形例１では、ガイドパイプ３６Ｂの一部（前側端部）に、長円孔７１ａが形成されたキャップ状部材７１を設けることとしている。このようにしても、ガイドバー３０Ｂが、キャップ状部材７１（長円孔７１ａ）と接触し続けるので、上記実施形態と同様、２群レンズ摺動筒１２の回転動作を規制することが可能である。
【００６８】
図９（ａ）、図９（ｂ）には、変形例２に係る構成が示されている。なお、図９（ｂ）は、図９（ａ）のＣ−Ｃ線断面図である。変形例２では、上記実施形態のガイドパイプ３６Ｂに代えて、全体が偏平な形状を有するガイドパイプ３６Ｂ’を採用している。このようにしても、ガイドバー３０Ｂとガイドパイプ３６Ｂ’の内周面の一部とが接触し続けるので、上記実施形態と同様、２群レンズ摺動筒１２の回転動作を規制することが可能である。なお、偏平な形状を有するガイドパイプ３６Ｂ’を採用しても、３，５群レンズ摺動筒１３と４群レンズ摺動筒１４の移動動作に問題が生じることはない。
【００６９】
図１０（ａ）には、変形例３に係る構成が示されている。変形例３では、ガイドバー３０Ｂが固定筒１０の突起部３３ｃに固定されている。また、変形例３では、２群レンズ摺動筒１２の係合筒２８にＵ字溝２８ｈを設けることとしている。この場合、２群レンズ摺動筒１２が前後方向に移動する間、ガイドバー３０ＢはＵ字溝２８ｈに接触し続けるようになっている。このような変形例３を採用しても、上記実施形態と同様、２群レンズ摺動筒１２の回転動作を規制することが可能である。なお、係合筒２８には、Ｕ字溝２８ｈに代えて、Ｕ字溝と同様の機能を有する長円孔を形成しても良い。なお、図１０（ａ）では、ガイドパイプ３６Ｂを採用することとしているが、これに限らず、図１０（ｂ）の変形例４のように、ガイドパイプ３６Ｂを棒状部材（ガイドバー）３６Ｂ”に変更することとしてもよい。
【００７０】
なお、上記実施形態及び変形例１〜４は、種々組み合わせることが可能である。
【００７１】
なお、上記実施形態では、ガイドバー３０Ｂとガイドパイプ３６Ｂとを同軸上に配置する場合について説明したが、これに限られるものではなく、ガイドバー３０Ｂとガイドパイプ３６Ｂとを異なる軸上に配置しても良い。この場合、ガイドパイプ３６Ｂに代えて、棒状部材（図１０（ｂ）の符号「３６Ｂ”」で示すような部材）を用いることとしてもよい。
【００７２】
なお、上記実施形態では、ズーミングの際に、１〜５群レンズＬ１〜Ｌ５のすべてが光軸ＡＸ方向に移動し、フォーカシングの際には、２群レンズＬ２のみが光軸ＡＸ方向に移動する場合（内焦式）について説明したが、これに限られるものではない。例えば、フォーカシングの際に、２群レンズＬ２以外のレンズＬ１、Ｌ３〜Ｌ５のいずれかが光軸ＡＸ方向に移動するようにしても良い。このうち、フォーカシングを１群レンズＬ１の移動により実行する方式は、前玉繰り出し方式と呼ばれる。また、フォーカシングの際に、１〜５群レンズＬ１〜Ｌ５のすべてのレンズ又はこれらのうちの複数のレンズが移動するようにしても良い。このうち、すべてのレンズが移動する方式は全体繰り出し方式と呼ばれる。
【００７３】
なお、上記実施形態では、ガイドパイプ３６Ａ，３６Ｂが、固定筒１０と別体で構成され、固定筒１０によりガイドパイプ３６Ａ，３６Ｂが支持されている場合について説明したがこれに限られるものではない。例えば、ガイドパイプ３６Ａ，３６Ｂと固定筒１０とが一体成型されていても良い。
【００７４】
また、上記実施形態では、３群レンズＬ３と５群レンズＬ５が、共通のレンズ摺動筒１３により保持される場合について説明したが、これに限らず、３群レンズＬ３と５群レンズＬ５は、別々のレンズ摺動筒により保持されても良い。
【００７５】
また、上記実施形態のレンズの数やレンズ配置は一例である。すなわち、レンズ鏡筒としては、ガイドバーに固定された一のレンズ摺動筒に保持されるレンズと、ガイドパイプの外周面に沿ってスライドする他のレンズ摺動筒に保持されるレンズとを、少なくとも有していれば良い。
【００７６】
なお、上記実施形態では、カムフォロワやフォロワなどの凸状の部材（部分）が設けられた部材に、当該凸状の部材（部分）に代えて、カム溝、周溝などの凹状の部分を設けることとし、カム溝、周溝などの凹状の部分が設けられた部材に、凹状の部分に代えて、カムフォロワやフォロワなどの凸状の部材（部分）を設けることとしても良い。
【００７７】
上述した実施形態は本発明の好適な実施の例である。但し、これに限定されるものではなく、本発明の要旨を逸脱しない範囲内において種々変形実施可能である。
【符号の説明】
【００７８】
１０  固定筒
１２  ２群レンズ摺動筒
１３  ３，５群レンズ摺動筒
１４  ４群レンズ摺動筒
３０Ａ，３０Ｂ  ガイドバー
３６Ａ，３６Ｂ  ガイドパイプ
３０Ａ１  第１嵌合部
３０Ａ２  第２嵌合部
３０Ａ３  中間部
４３  Ｕ字溝
Ｌ２  ２群レンズ
Ｌ３  ３群レンズ
Ｌ４  ４群レンズ
Ｌ５  ５群レンズ
１００  レンズ鏡筒
２００  撮像部
５００  カメラ
【図１】
2013178401.tif 000003
【図２】
2013178401.tif 000004
【図３】
2013178401.tif 000005
【図４】
2013178401.tif 000006
【図５】
2013178401.tif 000007
【図６】
2013178401.tif 000008
【図７】
2013178401.tif 000009
【図８】
2013178401.tif 000010
【図９】
2013178401.tif 000011
【図１０】
2013178401.tif 000012